(57)【要約】【課題】誘導発電機の安定度解析を簡単に行う。【解決手段】まず定常状態における誘導発電機出力電力Ｐｓｓを与える共に故障発生時間ｔｆ＝０とする。そして、故障期間中の誘導発電機の回転子角速度ωｆを近似式（１０）式を用いて誘導発電機の定数から求め、次に誘導発電機の出力電力−すべり特性式（１２）式を用いて故障発生からＰｓｃ＝Ｐｓｓ（回転子角速度の変化に対する出力特性＝定常状態における誘導発電機出力電力）までの時間ｔ′ｆを求める。次いで（１３）、（１４）式を用いて故障期間中に発電機に加えられ回転子を加速するエネルギーＡａｃと再閉路後に発電機速度を減少させるエネルギーＡｄｅを算出し、Ａａｃ＝Ａｄｅを解いて安定限界再閉路時間ｔ′ｃｒを求める。この方法によれば、等面積法に基づく安定限界式から数値積分などを必要とせずに誘導発電機の安定限界再閉路時間を算出することができる。【選択図】  図７
2004180435.tif 000002
【特許請求の範囲】
【請求項１】
誘導発電機の出力電力−時間特性を用いて故障期間中に発電機に加えられ回転子を加速するエネルギーと再閉路後に発電機速度を減少させるエネルギーを算出し、その両者が等しいことから安定限界再閉路時間を算出することを特徴とする誘導発電機の安定度解析方法。
【請求項２】
請求項１において、
上記誘導発電機の出力電力−時間特性を求める場合に、誘導発電機の出力電力−すべり特性式から求めることを特徴とする誘導発電機の安定度解析方法。
【請求項３】
請求項２において、
上記誘導発電機の出力電力−すべり特性式から上記誘導発電機の出力電力−時間特性を求める場合に、故障期間中の誘導発電機の回転子角速度を回転子角速度の近似式を用いて誘導発電機の定数から求めることを特徴とする誘導発電機の安定度解析方法。
【発明の詳細な説明】
【０００１】
【発明の属する技術分野】
本発明は、誘導発電機の安定度解析方法に関する。
【０００２】
【従来の技術】
近年環境問題に対する意識の高揚により風力エネルギーなどの自然エネルギーの有効利用が推進されており、我が国においても、１９９９年１１月に北海道苫前町で民間大規模ウインドパーク（容量２０ＭＷ，１ＭＷ×２０機）が運転開始するなど、風力発電が環境に優しいエネルギー源として注目されている。風力エネルギーは自然エネルギーの中でもエネルギー密度は希薄であるが、化石燃料を使用しないクリーンなエネルギーであることから良風地域では将来有望なエネルギーとして期待されている。また、風力エネルギーは純国産エネルギーであることからエネルギー資源の大半を海外に依存している我が国においては、エネルギーセキュリティーの観点からも重要である。
【０００３】
【発明が解決しようとする課題】
風力発電では一般に、構造が簡単、堅牢なため保守が容易であり、その上価格が安く、さらに系統並列時に位相調整の必要がないなどの利点からかご形誘導発電機が多く用いられる。しかし誘導発電機は励磁源を持たないため、系統並列時には発電機定格電流の６〜７倍の突入電流が流れる。また、誘導発電機が系統に連系されて運転している際に短絡故障や地落故障等が生じた場合にも過大な故障電流が流れ系統へ多大な影響を与える。この誘導発電機は系統で短絡故障や地絡故障が生じた場合には回転子が加速し始めるため、故障発生から比較的短時問で系統へ再投入されると発電機は安定な動作を維持するが、再投入時間が長くなれば不安定な状態に陥る。したがって、誘導発電機の故障電流解析または過渡安定度解析は重要な課題となっている。
【０００４】
このような背景から、本発明者らはこれまでに三相地落故障時における誘導発電機の故障電流及び各出力に関する解析式を導出し、これらの解析式を用いて過渡時における誘導発電機の挙動について解析を行ってきた（例えば、非特許文献１参照。）。
【０００５】
また、これまで等面積法による同期発電機の過渡安定度解析等を行ってきた。この同期発電機の過渡安定度解析は、入力する最終の擾乱発生時間以外の発電機機械的入力，発電機内部電圧，無限大母線電圧，発電機渦渡リアクタンス，変圧器リアクタンス，送電線リアクタンス，発電機単位慣性定数，発電機定格角速度，事故発生時間，事故遮断時間等のすべての入力を固定して等面積法により安定限界相差角を求め、次いで、最終の擾乱発生時間も含めてすべての入力を固定し擾乱発生時の揺動方程式により最終の擾乱発生時の相差角を求め、安定限界相差角と擾乱発生時の相差角とを比較して安定判別を行うというものである（例えば、特許文献１参照。）。
【０００６】
【非特許文献１】
千住智信、末吉儀秀、上里勝美、藤田秀紀「三相地落故障時における導発電機の過渡現象解析」平成１４年電気学会  電力技術電力系統技術合同研究会試料、ＰＥ−０２−１６、ＰＳＥ−お２−２６、２００２．
【０００７】
【特許文献１】
特開２０００−２７０４８１号公報
ただし、これらの安定度解析手法は同期発電機を対象とするものであり、誘導発電機の安定度解析には適用できない。
【０００８】
本発明は、上記課題に鑑みてなされたものであり、上記誘導発電機の故障電流及び各出力に関する解析式を用いて上記同期発電機の安定度解析に用いられてきた等面積法による安定度解析を誘導発電機の安定度解析へ適用した誘導発電機の安定度解析方法を提供するものである。
【０００９】
【課題を解決するための手段】
本発明の誘導発電機の安定度解析方法は、誘導発電機の出力電力−時間特性を用いて故障期間中に発電機に加えられ回転子を加速するエネルギーと再閉路後に発電機速度を減少させるエネルギーを算出し、その両者が等しいことから安定限界再閉路時間を算出することを特徴とするものである。
【００１０】
【発明の実施の形態】
〔発明が解決しようとする課題〕の項で述べたように、誘導発電機は故障発生から再投入までの時間によりその動作が安定状態と不安定状態に分かれる。つまり、再投入後誘導発電機が安定な動作を維持するための安定限界再閉路時間が存在する。本発明はこの安定限界時間を「臨界最閉路時間」と定義し、この値を等面積法によって求める。このとき一般によく知られている誘導発電機のすべり−出力電力特性を用いる。
Ｉ．解析式の導出
まず、本発明の誘導発電機の安定度解析方法に使用する解析式の導出について説明する。
【００１１】
１．三相地絡故障時の過渡解析式
対象とする誘導発電機が連繋された一機無限大母線系統を図１に示す。この一機無限大母線系統は、無限大母線１に接続された送電線路２と、送電線路２の負荷側母線３に接続されたかご型誘導発電機４で構成されている。なお、図中、Ｆは送電線路３に発生した三相地絡故障点、Ｒ１、Ｒ３０−１及びＬ１、Ｌ３０−１は送電線路３の抵抗及インダクタンス、ＣＢ１、ＣＢ２、ＣＢ３は遮断器、ｌは誘導発電機から故障点までの距離を示す。また、シミュレーションに用いたシステムパラメータを表１に示す。
【００１２】
【表１】
システムパラメータ
定格電力                            ６７４ｋＶＡ
定格線間電圧電圧                          ６９０Ｖ
定格周波数                                ５０Ｈｚ
極数Ｐ                                        ４極
回転子抵抗Ｒｓ                  ０．０１１８ｐ．ｕ．
回転子漏洩インダクタンスＬｌｓ      ０．２１７ｐ．ｕ．
回転子抵抗ｒ′ｒ                ０．０１５６ｐ．ｕ．
励磁インダクタンスＬ′ｍ            ７．２８ｐ．ｕ．
線路抵抗Ｒｌ          ０．０００１９５ｐ．ｕ．／Ｋｍ
線路インダクタンスＬｌ    ０．０１９５ｐ．ｕ．／Ｋｍ
慣性定数Ｊ                        １８．０３ｋｇｍ２
図１のかご形誘導発電機４を用いた一機無限大母線系統において、送電線路３上で三相地絡故障Ｆが発生することを想定した誘導発電機４の安定解析を行つた。図２は三相地落時の誘導発電機４の等価回路であり、図中、Ｖｆは故障点Ｆでの電圧、Ｒｌ、Ｌｌは線路の抵抗及びインダクタンス、ｒｒ′，Ｌｒ′は誘導発電機回転子の抵抗及びインダクタンス、ωｒは回転子角速度、λ′ｄｒはｄ軸鎖交磁束数を示す。図２より三相地落故障時におけるｑ軸，ｄ軸電流は回転子角速度ωｒを一定と仮定すれば、ｑ軸電流ｉｑｓ、ｉ′ｑｒ及びｄ軸電流ｉｄｓ、ｉ′ｄｒは（１）〜（４）式のように表される。
【００１３】
【数１】
2004180435.tif 000003
【００１４】
ただし、式中のωｒｓｓは定常状態における回転子角速度、θｓは三相地落故障発生時のａ相固定子電流の位相角、また式中の時間ｔに付してある”  ′”は三相地落故障発生時刻をゼロと考えた場合の経過時間であることを示している。なお、他の定数を表２に示す。
【００１５】
【表２】
2004180435.tif 000004
【００１６】
また、誘導発電機の出力トルクＴｅｍ及び電力ＰＩＧは（５）、（６式）で表される。
【００１７】
【数２】
2004180435.tif 000005
【００１８】
（１）〜（４）式を（５）式に代入し、整理すると、（７）式となる。
【００１９】
【数３】
2004180435.tif 000006
【００２０】
２．運動方程式
上記過渡解析式（（１）〜（７）式）を用いて三相地落故障時の回転子角速度を表現する速度方程式の導出を説明する。回転子の運動方程式は（８）式で表される。
【００２１】
【数４】
2004180435.tif 000007
【００２２】
ただし、ωｆ；故障期間中の回転子角速度、Ｔｍｅｃｈ；機械的入力トルク、Ｔｄａｍｐ；制動トルクである。ここで、
【００２３】
【数５】
2004180435.tif 000008
【００２４】
とおき、（８）式を回転子角速度ωｆについて解くと（９）式となる。
【００２５】
【数６】
2004180435.tif 000009
【００２６】
【数７】
2004180435.tif 000010
【００２７】
である。ここで、（２α／ωｒｓｓ）２≪１よりＺＡ≒１であり、またＬｍ≫Ｌ′ｌｒの場合にはθＡ≒θＢ及びＡ≒Ｂが成り立つ。したがって、（９）式右辺第１項は第２項に比して十分小となり、（１０）式のように近似できる。
【００２８】
【数８】
2004180435.tif 000011
【００２９】
（１０）式を用いることで三相地落故障期間中の回転子の速度変化を考慮した誘導発電機の出力電力を表現できる。（１０）式を用いると故障期間中の誘導発電機の出力電力は（１１）式のように書き直される。
【００３０】
【数９】
2004180435.tif 000012
【００３１】
（１０）、（１１）式の妥当性を数値計算プログラムを用いたシミュレーシン結果と比較することで検証する。数値計算プログラムにおけるシミュレーシンモデルは誘導発電機の非線形性を考慮したシステム方程式を用いて構成されている。
図３（ａ）及び（ｂ）に回転子角速度及び出力電力の解析式による計算結果（実線）及び数値計算プログラムを用いたシミュレーション結果（点線）を示す。ただし、図３は誘導発電機が定常運転中、送電線路中央で三相地落故障が発生（ｔｆ＝４．０ｓｅｃ）した場合のシミュレーション結果である。
【００３２】
図３より、解析式による計算結果は数値計算プログラムを用いたシミュレーション結果によく一致おり、解析式の妥当性が確認できる。図３において数値計算プログラムを用いたシミュレーション結果で地絡故障直後の回転子角速度に振動がみられるが、これは（９）式右辺第一項に示す成分である。また、出力電力のシミュレーション結果に関する誤差は、解析式を導出する際に用いた近似の影響により（１１）式中の係数Ｚの値に誤差が生じたためである。
３．等面積法による誘導発電機の安定性解析
誘導発電機の出力特性表示に通常よく用いられる出力電力−すべり特性を（１０）式を用いて時間領域に変換し，等面積法によって安定性解析を行うために必要な方程式の導出を行う。
３．１  出力電力−すべり特性
誘導発電機の回転子角速度の変化に対する出力特性は（１２）式によって表される。
【００３３】
【数１０】
2004180435.tif 000013
【００３４】
ここで、ωｅは電源電圧の角速度である。（１２）式より誘導発電機の出力電力−すべり特性は図４（ａ）のようになる。ただし、図４の特性は故障発生後の誘導発電機の出力電力をゼロと仮定した場合である。図中のｓｆは定常状態における発電機機速度であり、ｓｃｒは再閉路時の発電機速度である。ここで、発電機の損失を無視すれば図中のＡ′ａｃは故障期間中発電機に加えられ、回転子を加速させるエネルギーであり、Ａ′ｄｅは再投入後発電機速度を減少させるエネルギーである。したがって、Ａ′ａｃ＝Ａ′ｄｅとなるすべりｓｃｒが誘導発電機の安定限界である。
３．２  出力電力−時間特性
時間領域における誘導発電機の出力特性について説明する。（１２）式に（１０）式を代入すると、故障期間における誘導発電機の出力電力−時間特性は図４（ｂ）のようになる。ただし、図４は故障発生後の誘導発電機の出力電力をゼロと仮定した場合を表しており、実際の解析では（１１）式に示す出力を考慮した安定性解析を行う。したがって、故障期間中の発電機出力を考慮すれば図中のＡａｃ、Ａｄｃは（１３）、（１４）式によって求められる。
【００３５】
【数１１】
2004180435.tif 000014
【００３６】
ただし、Ｐｓｓは定常状態における発電機出力電力である。等面積法では、Ａａｃ＝Ａｄｃの場合が安定限界であり、Ａａｃ＞Ａｄｃの場合は不安定、Ａａｃ＜Ａｄｃの場合が安定である。（１３）、（１４）式を用いることにより、Ａａｃ＝Ａｄｃにより得られる安定限界時間ｔ′ｃｒを計算できる。
４．シミュレーション結果
送電線路上で三相地落故障が生じた場合に、各機械的入力トルクに対して安定限界となる再閉路時間ｔｃｒを（１３）、（１４）式とを用いて求め、その結果の妥当性を数値計算プログラムを用いたシミュレーション結果と比較することにより検証する。安定限界となる再閉路時間ｔｃｒの評価は、送電線路長ｌ＝３０ｋｍ、故障発生時間ｔｆ＝４．００ｓｅｃ、故障継続時間ｔｃｏｎｔ＝０．１０ｓｅｃに固定し、再投入時間のみを変化させた場合に誘導発電機が再投入後に安定な動作をするか否かで行った。図５（ａ）及び（ｂ）はその時の回転速度及び有効電力の出力波形で、図５（ａ）は再投入後誘導発電機が安定な動作を継続する場合の出力波形、図５（ｂ）は再投入後不変定な場合の出力波形である。この安定限界となる再閉路時間を臨界再閉路時間（ＣｒｉｔｉｃａｒＲｅｃｌｏｓｉｎｇＴｉｍｅ；ＣＲＴ）とし、（１５）式によって定義する。
【００３７】
【数１２】
ＣＲＴ＝ｔｃｒ−ｔｆ              （１５）
ここで、ｔｆ及びｔｃｒはそれぞれ故障発生時間及び再閉路時間である。故障シーケンスは、誘導発電機が定常運転中送電線路上で三相地落故障が発生（ｔ＝ｔｆ）、その後線路ブレーカを開放（ｔ＝ｔｏ）し、故障復旧後発電機を系統へ再投入（ｔ＝ｔｃｒ）とした。通常、風力発電機の系統への再投入は故障除去から数分程度後であるが、等面積法を誘導発電機の安定解析へ適用することの妥当性を確認するするために発電機の再投入は故障消滅から数サイクル後とした。
【００３８】
図６（ａ）に各機械的入力トルクに対する臨界再閉路時間ＣＲＴの解析式による計算結果（実線）及び数値計算プログラムを用いたシミュレーション結果（鎖線）を表３に、また表３をプロットした結果を図６に示す。
【００３９】
【表３】
2004180435.tif 000015
【００４０】
また、図６（ｂ）にＣＲＴの解析エラーを示す。図６より等面積法を用いた誘導発電機の安定性解析結果（実線）は数値計算プログラムによるシミュレーション結果（鎖線）で得られた機械的入力トルク−ＣＲＴの特性とよく一致していることが確認できる。
ＩＩ．実施形態
本発明の実施形態に係る等面積法による三相地絡故障時おける誘導発電機の安定性解析方法について説明する。この安定性解析は上記（１０）、（１２）〜（１４）式を用い図７の手順で行う。まず、定常状態における誘導発電機出力電力Ｐｓｓを与える共に故障発生時間ｔｆ＝０とする。そして、故障期間中の誘導発電機の回転子角速度ωｆを近似式（１０）式を用いて誘導発電機の定数から求め、次に誘導発電機の出力電力−すべり特性式（１２）式を用いて故障発生からＰｓｃ＝Ｐｓｓまでの時間ｔ′ｆを求める。次いで（１３）、（１４）式を用いて故障期間中に発電機に加えられ回転子を加速するエネルギーＡａｃと再閉路後に発電機速度を減少させるエネルギーＡｄｅを算出し、Ａａｃ＝Ａｄｅを解いて安定限界再閉路時間ｔ′ｃｒを求める。
【００４１】
この等面積法による誘導発電機の安定性解析方法によれば、三相地絡故障時おける誘導発電機の安定度を簡単に求めることができる。この方法による誘導発電機の過渡安定度解析結果は上述したように数値計算プログラムを用いたシミュレーション結果と比較することでその妥当性が確認された。この等面積法による誘導発電機の安定性解析は三相地落故障時における誘導発電機の安定度を評価する上で有効である。
【００４２】
【発明の効果】
以上の説明で明らかなように、本発明によれば、三相地絡故障時おける誘導発電機の安定性解析時間を短縮できる。また、等面積法に基づく安定限界式から数値積分などを必要とせずに誘導発電機の安定限界再閉路時間を算出することができる。
【図面の簡単な説明】
【図１】対象とする誘導発電機が接続された一騎無限大母線系統図。
【図２】一騎無限大母線系統三相地絡故障時のｑ軸等価回路図。
【図３】（ａ）は回転子速度の解析式の計算結果及びシミュレーション結果を示す回転子の角速度時間−時間特性図、（ｂ）は出力電力の解析式の計算結果及びシミュレーション結果を示す出力電力−時間特性図。
【図４】（ａ）は故障発生後の誘導発電機の出力電力をゼロと仮定した場合の出力電力−スリップ特性図、（ｂ）は故障発生後の誘導発電機の出力電力をゼロと仮定した場合の出力電力−時間特性図。
【図５】（ａ）は再投入後誘導発電機が安定な動作を継続する場合の出力波形図、（ｂ）は再投入後不変定な場合の出力波形図。
【図６】（ａ）は誘導発動機の機械的入力トルクに対するＣＲＴ（臨界再閉路時間）の解析式による計算結果及びシミュレーション結果を示す機械的入力トルク−ＣＲＴ特性図、（ｂ）はその計算結果とシミュレーション結果と差を示す機械的入力トルク−ＣＲＴ解析エラー特性図。
【図７】本発明のシステム概念図。
【符号の説明】
１…無限大母線
２…送電線路
４…かご型誘導発電機
Ｆ…三相地絡故障点
Ｐ…誘導発電機の極数（表１）？出力電力（図４等）？
Ｐｓｓ…定常状態における誘導発電機出力電力
ＰＩＧ…誘導発電機出力電力
Ｐｓｃ…誘導発電機回転子角速度の変化に対する出力特性
ＣＴＲ…臨界再閉路時間
【図１】
2004180435.tif 000016
【図２】
2004180435.tif 000017
【図３】
2004180435.tif 000018
【図４】
2004180435.tif 000019
【図５】
2004180435.tif 000020
【図６】
2004180435.tif 000021
【図７】
2004180435.tif 000022
【手続補正書】
【提出日】平成15年12月12日(2003.12.12)
【手続補正１】
【補正対象書類名】明細書
【補正対象項目名】０００３
【補正方法】変更
【補正の内容】
【０００３】
【発明が解決しようとする課題】
風力発電では一般に、構造が簡単、堅牢なため保守が容易であり、その上価格が安く、さらに系統並列時に位相調整の必要がないなどの利点からかご形誘導発電機が多く用いられる。しかし誘導発電機は励磁源を持たないため、系統並列時には発電機定格電流の６〜７倍の突入電流が流れる。また、誘導発電機が系統に連系されて運転している際に短絡故障や地絡故障等が生じた場合にも過大な故障電流が流れ系統へ多大な影響を与える。この誘導発電機は系統で短絡故障や地絡故障が生じた場合には回転子が加速し始めるため、故障発生から比較的短時問で系統へ再投入されると発電機は安定な動作を維持するが、再投入時間が長くなれば不安定な状態に陥る。したがって、誘導発電機の故障電流解析または過渡安定度解析は重要な課題となっている。


【手続補正２】
【補正対象書類名】明細書
【補正対象項目名】０００４
【補正方法】変更
【補正の内容】
【０００４】
このような背景から、本発明者らはこれまでに三相地絡故障時における誘導発電機の故障電流及び各出力に関する解析式を導出し、これらの解析式を用いて過渡時における誘導発電機の挙動について解析を行ってきた（例えば、非特許文献１参照。）。


【手続補正３】
【補正対象書類名】明細書
【補正対象項目名】０００５
【補正方法】変更
【補正の内容】
【０００５】
また、これまで等面積法による同期発電機の過渡安定度解析等を行ってきた。この同期発電機の過渡安定度解析は、入力する最終の擾乱発生時間以外の発電機機械的入力，発電機内部電圧，無限大母線電圧，発電機過渡リアクタンス，変圧器リアクタンス，送電線リアクタンス，発電機単位慣性定数，発電機定格角速度，事故発生時間，事故遮断時間等のすべての入力を固定して等面積法により安定限界相差角を求め、次いで、最終の擾乱発生時間も含めてすべての入力を固定し擾乱発生時の揺動方程式により最終の擾乱発生時の相差角を求め、安定限界相差角と擾乱発生時の相差角とを比較して安定判別を行うというものである（例えば、特許文献１参照。）。


【手続補正４】
【補正対象書類名】明細書
【補正対象項目名】０００６
【補正方法】変更
【補正の内容】
【０００６】
【非特許文献１】
千住智信、末吉儀秀、上里勝美、藤田秀紀「三相地絡故障時における誘導発電機の過渡現象解析」平成１４年電気学会電力技術電力系統技術合同研究会資料、ＰＥ−０２−１６、ＰＳＥ−２−２６、２００２．


【手続補正５】
【補正対象書類名】明細書
【補正対象項目名】００１０
【補正方法】変更
【補正の内容】
【００１０】
【発明の実施の形態】
〔発明が解決しようとする課題〕の項で述べたように、誘導発電機は故障発生から再投入までの時間によりその動作が安定状態と不安定状態に分かれる。つまり、再投入後誘導発電機が安定な動作を維持するための安定限界再閉路時間が存在する。本発明はこの安定限界時間を「臨界再閉路時間」と定義し、この値を等面積法によって求める。このとき一般によく知られている誘導発電機のすべり−出力電力特性を用いる。
Ｉ．解析式の導出
まず、本発明の誘導発電機の安定度解析方法に使用する解析式の導出について説明する。


【手続補正６】
【補正対象書類名】明細書
【補正対象項目名】００１１
【補正方法】変更
【補正の内容】
【００１１】
１．三相地絡故障時の過渡解析式
対象とする誘導発電機が連繋された一機無限大母線系統を図１に示す。この一機無限大母線系統は、無限大母線１に接続された送電線路２と、送電線路２の負荷側母線３に接続されたかご型誘導発電機４で構成されている。なお、図中、Ｆは送電線路２に発生した三相地絡故障点、Ｒ１、Ｒ３０−１及びＬ１、Ｌ３０−１は送電線路２の抵抗及びインダクタンス、ＣＢ１、ＣＢ２、ＣＢ３は遮断器、前記抵抗及びインダクタンスの小文字の添字エルは、誘導発電機から故障点までの距離を示す。また、シミュレーションに用いたシステムパラメータを表１に示す。


【手続補正７】
【補正対象書類名】明細書
【補正対象項目名】００１２
【補正方法】変更
【補正の内容】
【００１２】
【表１】
システムパラメータ
定格電力                            ６７４ｋＶＡ
定格線間電圧                              ６９０Ｖ
定格周波数                                ５０Ｈｚ
極数Ｐ                                        ４極
回転子抵抗Ｒｓ                  ０．０１１８ｐ．ｕ．
回転子漏洩インダクタンスＬｌｓ      ０．２１７ｐ．ｕ．
回転子抵抗ｒ′ｒ                ０．０１５６ｐ．ｕ．
励磁インダクタンスＬ′ｍ            ７．２８ｐ．ｕ．
線路抵抗Ｒｌ          ０．０００１９５ｐ．ｕ．／Ｋｍ
線路インダクタンスＬｌ    ０．０１９５ｐ．ｕ．／Ｋｍ
慣性定数Ｊ                        １８．０３ｋｇｍ２
図１のかご形誘導発電機４を用いた一機無限大母線系統において、送電線路３上で三相地絡故障Ｆが発生することを想定した誘導発電機４の安定解析を行つた。図２は三相地絡時の誘導発電機４の等価回路であり、図中、Ｖｆは故障点Ｆでの電圧、Ｒｌ、Ｌｌは線路の抵抗及びインダクタンス、ｒｒ′，Ｌｒ′は誘導発電機回転子の抵抗及びインダクタンス、ωｒは回転子角速度、λ′ｄｒはｄ軸鎖交磁束数を示す。図２より三相地絡故障時におけるｑ軸，ｄ軸電流は回転子角速度ωｒを一定と仮定すれば、ｑ軸電流ｉｑｓ、ｉ′ｑｒ及びｄ軸電流ｉｄｓ、ｉ′ｄｒは（１）〜（４）式のように表される。


【手続補正８】
【補正対象書類名】明細書
【補正対象項目名】００１４
【補正方法】変更
【補正の内容】
【００１４】
ただし、式中のωｒｓｓは定常状態における回転子角速度、θｓは三相地絡故障発生時のａ相固定子電流の位相角、また式中の時間ｔに付してある”  ′”は三相地絡故障発生時刻をゼロと考えた場合の経過時間であることを示している。なお、他の定数を表２に示す。


【手続補正９】
【補正対象書類名】明細書
【補正対象項目名】００２０
【補正方法】変更
【補正の内容】
【００２０】
２．運動方程式
上記過渡解析式（（１）〜（７）式）を用いて三相地絡故障時の回転子角速度を表現する速度方程式の導出を説明する。回転子の運動方程式は（８）式で表される。


【手続補正１０】
【補正対象書類名】明細書
【補正対象項目名】００２９
【補正方法】変更
【補正の内容】
【００２９】
（１０）式を用いることで三相地絡故障期間中の回転子の速度変化を考慮した誘導発電機の出力電力を表現できる。（１０）式を用いると故障期間中の誘導発電機の出力電力は（１１）式のように書き直される。


【手続補正１１】
【補正対象書類名】明細書
【補正対象項目名】００３１
【補正方法】変更
【補正の内容】
【００３１】
（１０）、（１１）式の妥当性を数値計算プログラムを用いたシミュレーシン結果と比較することで検証する。数値計算プログラムにおけるシミュレーシンモデルは誘導発電機の非線形性を考慮したシステム方程式を用いて構成されている。
図３（ａ）及び（ｂ）に回転子角速度及び出力電力の解析式による計算結果（実線）及び数値計算プログラムを用いたシミュレーション結果（点線）を示す。ただし、図３は誘導発電機が定常運転中、送電線路中央で三相地絡故障が発生（ｔｆ＝４．０ｓｅｃ）した場合のシミュレーション結果である。


【手続補正１２】
【補正対象書類名】明細書
【補正対象項目名】００３６
【補正方法】変更
【補正の内容】
【００３６】
ただし、Ｐｓｓは定常状態における発電機出力電力である。等面積法では、Ａａｃ＝Ａｄｃの場合が安定限界であり、Ａａｃ＞Ａｄｃの場合は不安定、Ａａｃ＜Ａｄｃの場合が安定である。（１３）、（１４）式を用いることにより、Ａａｃ＝Ａｄｃにより得られる安定限界時間ｔ′ｃｒを計算できる。
４．シミュレーション結果
送電線路上で三相地絡故障が生じた場合に、各機械的入力トルクに対して安定限界となる再閉路時間ｔｃｒを（１３）、（１４）式とを用いて求め、その結果の妥当性を数値計算プログラムを用いたシミュレーション結果と比較することにより検証する。安定限界となる再閉路時間ｔｃｒの評価は、送電線路長ｌ＝３０ｋｍ、故障発生時間ｔｆ＝４．００ｓｅｃ、故障継続時間ｔｃｏｎｔ＝０．１０ｓｅｃに固定し、再投入時間のみを変化させた場合に誘導発電機が再投入後に安定な動作をするか否かで行った。図５（ａ）及び（ｂ）はその時の回転速度及び有効電力の出力波形で、図５（ａ）は再投入後誘導発電機が安定な動作を継続する場合の出力波形、図５（ｂ）は再投入後不変定な場合の出力波形である。この安定限界となる再閉路時間を臨界再閉路時間（ＣｒｉｔｉｃａｒＲｅｃｌｏｓｉｎｇＴｉｍｅ；ＣＲＴ）とし、（１５）式によって定義する。


【手続補正１３】
【補正対象書類名】明細書
【補正対象項目名】００３７
【補正方法】変更
【補正の内容】
【００３７】
【数１２】
ＣＲＴ＝ｔｃｒ−ｔｆ              （１５）
ここで、ｔｆ及びｔｃｒはそれぞれ故障発生時間及び再閉路時間である。故障シーケンスは、誘導発電機が定常運転中送電線路上で三相地絡故障が発生（ｔ＝ｔｆ）、その後線路ブレーカを開放（ｔ＝ｔｏ）し、故障復旧後発電機を系統へ再投入（ｔ＝ｔｃｒ）とした。通常、風力発電機の系統への再投入は故障除去から数分程度後であるが、等面積法を誘導発電機の安定解析へ適用することの妥当性を確認するするために発電機の再投入は故障消滅から数サイクル後とした。


【手続補正１４】
【補正対象書類名】明細書
【補正対象項目名】００４１
【補正方法】変更
【補正の内容】
【００４１】
この等面積法による誘導発電機の安定性解析方法によれば、三相地絡故障時おける誘導発電機の安定度を簡単に求めることができる。この方法による誘導発電機の過渡安定度解析結果は上述したように数値計算プログラムを用いたシミュレーション結果と比較することでその妥当性が確認された。この等面積法による誘導発電機の安定性解析は三相地絡故障時における誘導発電機の安定度を評価する上で有効である。


【手続補正１５】
【補正対象書類名】明細書
【補正対象項目名】図１
【補正方法】変更
【補正の内容】
【図１】対象とする誘導発電機が接続された一機無限大母線系統図。


【手続補正１６】
【補正対象書類名】明細書
【補正対象項目名】図２
【補正方法】変更
【補正の内容】
【図２】一機無限大母線系統三相地絡故障時のｑ軸等価回路図。


【手続補正１７】
【補正対象書類名】明細書
【補正対象項目名】符号の説明
【補正方法】変更
【補正の内容】
【符号の説明】
１…無限大母線
２…送電線路
４…かご型誘導発電機
Ｆ…三相地絡故障点
Ｐ…誘導発電機の極数
Ｐｓｓ…定常状態における誘導発電機出力電力
ＰＩＧ…誘導発電機出力電力
Ｐｓｃ…誘導発電機回転子角速度の変化に対する出力特性
ＣＲＴ…臨界再閉路時間